(57)【要約】【課題】本願発明は、簡易な構造で取付強度を有するＬ字金具からなる引込線用腕金において、引込線側に位置して引込線用腕金にかかる荷重を支持する機構を備えた引込線用腕金を提供する。【解決手段】引込線用腕金１０は、家屋の壁部４に固定される固定部１２及び壁部４から延出して引込線３を保持するための保持孔１５が形成された延出保持部１３から構成されるプレート状の固定片１１と、この固定片１１の長手縁部から垂直に一体に延出する補強片１６とによって断面Ｌ字状に形成され、固定片１１の延出保持部１３と対応した位置にある補強片１６の荷重保持部１７と、固定片１１の固定部１２が固定される家屋１の壁部４に対して垂直となる壁部５との間を支持する支柱２０を備える。【選択図】  図２
2013143870.tif 000002
【特許請求の範囲】
【請求項１】
家屋の壁部に固定される固定部及び前記壁部から延出して引込線を保持するための保持孔が形成された延出保持部とから構成されるプレート状の固定片と、この固定片の長手縁部から垂直に一体に延出する補強片とによって断面Ｌ字状に形成された引込線用腕金において、
前記固定片の延出保持部と対応した位置にある前記補強片の荷重保持部と、前記固定片の固定部が固定される家屋の壁部に対して垂直となる壁部との間を支持する支柱を設けたことを特徴とする引込線用腕金。
【請求項２】
前記支柱は、前記荷重保持部に回転自在に固定される回転保持部と、回転保持部から所定の長さに延出する第１のロッドと、前記第１のロッドに入れ子状に装着される第２のロッドと、前記第２のロッドの前記壁部との接触部分に回転自在に設けられる足部とによって構成されることを特徴とする請求項１記載の引込線用腕金。
【請求項３】
前記第１のロッド及び前記第２のロッドの断面形状は、上側が尖った形状であることを特徴とする請求項２記載の引込線用腕金。
【請求項４】
前記第１のロッド及び前記第２のロッドの断面形状は、円形であることを特徴とする請求項２記載の引込線用腕金。
【発明の詳細な説明】
【技術分野】
【０００１】
本願発明は、電力線、電話線、アンテナ線、有線ケーブル等を家屋に引き込む架空引込線を支持するための引込線用腕金に関する。
【背景技術】
【０００２】
特許文献１（実開平２−３０２２４号公報）に開示される架空引込線の家屋引留装置は、家屋壁にフック取り付けネジを螺着し、このフック取り付けネジの外周に設けた鍔と家屋壁面との間に、ゴム板と金属板を一体に重ね合わせた座金を、ゴム板を家屋壁面に当接して介在させ、このフック取り付けネジのフック部に筒体の一端のフックを引っ掛け、この筒体の他端からシャフトの一端を筒体内に挿入し、この筒体内のシャフトの一端に設けた鍔状体とこの鍔状体と対向して筒体内に設けた固定壁との間に弾機を設け、上記筒体の他端から突出したシャフトの他端を、架空引込線用の引留碍子に支持したものである。
【０００３】
特許文献２（特開平９−２８９７２９号公報）に開示される引込線支持具は、電線を固定する引留部と、引留部で固定した電線を引込線支持具の内部に入線する入線口と、入線口に連設される配線溝と、配線溝に連設される出線口と、入口線と配線溝の間に挿通口を設けた隔壁と、入口線と入口線の間の蓋体で施蓋され螺子で螺着された開口部とを具備し、家屋の壁面等の引込線支持点に取り付けされるものである。
【０００４】
特許文献３（特開平９−２３３６６０号公報）に開示される電線引留金具は、張出板の一方に左腕片と右腕片を二叉に突設し、他方の先端部に引込線を間接的に引き留めるための取付孔を開け、前記左右腕片の各内縁側に取付板をそれぞれ起伏可能に螺着したものである。
【０００５】
特許文献４（特開２００７−１１６８４１号公報）に開示される引込用腕具は、低圧架空引込線を家屋内に引き込むために家屋に設置されるもので、所定の固定手段により家屋の軒天井に固定される三角形状の家屋側固定部材と、所定の固定手段により前記家屋側固定部材に固定され、低圧架空引込線が巻回される碍子を係止する係止部を有する三角形状の引込線係止部材とを具備するものである。
【先行技術文献】
【特許文献】
【０００６】
【特許文献１】実開平２−３０２２４号公報
【特許文献２】特開平９−２８９７２９号公報
【特許文献３】特開平９−２３３６６０号公報
【特許文献４】特開２００７−１１６８４１号公報
【発明の概要】
【発明が解決しようとする課題】
【０００７】
従来の電柱から家屋へ引き込まれる低圧架空引込線（以下、引込線という。）には、引込線である電線又はケーブルの自重による荷重がかかると共に、風による荷重や、電線上の積雪による荷重等もかかるために、家屋側で引込線を支える引込線用腕金には相当の荷重がかかる不都合がある。
【０００８】
引用文献１に開示される引留装置では、内蔵したバネによって電線からかかる負荷の変動を吸収することができるものの、全体の負荷を支えるものがネジだけであり、さらにそのネジの軸方向に負荷がかかるため、ネジが抜けやすいという不具合を生じる。
【０００９】
また、引用文献２に開示される引込線用支持具において、開口部は螺子によって固定されることが開示されているが、複数の引込線を固定する引留部にかかる荷重に対して螺子によって固定される支持具の延出方向が垂直に配置されることから、複数の引込線からの荷重に十分耐えうるかどうかに疑問が残る。
【００１０】
特許文献３に開示される電線引留金具においても、屋根の傾斜に直角に設ける鼻隠しや壁面でも簡単に取り付けることができるが、引込線からの荷重は、左右腕片と張出板を起伏可能に結合する蝶番の軸にかかるため、引込線からの荷重に対して十分な耐性を有するかどうか疑問が残る。
【００１１】
特許文献４に開示される引込用腕具は、取付強度を増加させるという課題は達成できるものの用具自体が大型化するという不具合を有する。
【００１２】
このため、簡易な構造で取付強度を確保する要請から、専用のＬ字金具を用いて引込線用腕金を構成し、この引込線用腕金を用いて引込線の家屋側を支持する方法が採用されている。そして、この方法においては、たとえば図５に示すように、電柱２から引き出された引込線３Ａに対して引込線用腕金１０’の固定位置がたとえばＰ１の位置にある場合には、引込線用腕金１０’に対して引込線３Ａとは反対側に支線６を張設し、引込線用腕金１０’の引込線３Ａから受ける荷重の支持を補助するようにしている。
【００１３】
しかしながら、引込線用腕金１０’に支線６を設ける場合において、たとえばお客様の要望、間取り図による機器の配置、工事の都合などによって、引込線用腕金１０’を図５の例えばＰ２の位置に設けることを余儀なくされる場合には、引込線用腕金１０’に対して引込線３Ｂによる荷重を受ける側とは反対側に支線を設けることが不可能となる。
【００１４】
このため、本発明は、簡易な構造で取付強度を有するＬ字金具からなる引込線用腕金において、引込線用腕金の取り付け位置に拘らず、架空引込線から受ける荷重の支持を補助することが可能な引込線用腕金を提供することを主たる課題としている。
【課題を解決するための手段】
【００１５】
上記課題を達成するために、本発明は、家屋の壁部に固定される固定部及び前記壁部から延出して引込線を保持するための保持孔が形成された延出保持部とから構成されるプレート状の固定片と、この固定片の長手縁部から垂直に一体に延出する補強片とによって断面Ｌ字状に形成された引込線用腕金において、前記固定片の延出保持部と対応した位置にある前記補強片の荷重保持部と、前記固定片の固定部が固定される家屋の壁部に対して垂直となる壁部との間を支持する支柱を設けたことを特徴としている。
【００１６】
これによって、引込線用腕金が、家屋の支線が設けられない位置に設置する必要が生じた場合でも（例えば、図５のＰ２の位置に引込線用腕金を設けなければならない場合でも）、引込線用腕金よりも引込線側において、補強片の荷重保持部と固定片の固定部が固定される家屋の壁部に対して垂直となる壁部との間に支柱を固定することが可能となるので、この支柱によって引込線用腕金にかかる引込線の荷重を受けることが可能となる。
また、Ｐ１の位置に引込線用腕金を設ける場合においても、引込線用腕金よりも引込線と反対側において、補強片の荷重保持部と固定片の固定部が固定される家屋の壁部に対して垂直となる壁部との間に支柱を固定することで、従来の支線の代わりに用いることが可能となる。
【００１７】
また、支柱は、荷重保持部に回転自在に固定される回転保持部と、回転保持部から所定の長さに延出する第１のロッドと、第１のロッドに入れ子状に装着される第２のロッドと、第２のロッドの壁部との接触部分に回転自在に設けられる足部とによって構成されることが望ましい。
【００１８】
これによって、支柱の角度、長さを調整することが可能となる。尚、第１のロッド及び第２のロッドは、両者の側面を貫通する螺子を設けることによって強固に固定することが可能となる。
【００１９】
さらに、家屋の屋根からの雪ズリにより落下した雪が支柱のロッド上に溜まることを回避するために、第１のロッド及び第２のロッドの断面形状は、上側が尖った形状とすることが望ましい。たとえば、断面形状を、三角形状や菱形形状とすることが望ましい。また、第１のロッド及び第２のロッドの断面形状は、支柱のロッド上に雪が溜まることを回避するために円形であっても良い。
【００２０】
尚、支柱を使わない場合は、支柱を引込線用腕金に沿わせて固定することで、引込線用腕金の強度を向上させることも可能となる。
【発明の効果】
【００２１】
以上のように、本願発明によれば、支線の張設が可能であるか否かに拘らず、お客様が希望された場所へ引込線用腕金を設置することが可能となる。また、工事店の作業も容易になり、顧客へのサービス性が向上するという効果も達成可能となる。
【００２２】
また、支柱によって引込線用腕金にかかる荷重の支持を十分に補助できるため、引込線用腕金の外れや折れを防止することが可能となる。
【図面の簡単な説明】
【００２３】
【図１】本発明に係る引込線用腕金の配置を示した説明図である。
【図２】（ａ）は、本発明に係る引込線用腕金を家屋の左側側面から延出させた状態を示した説明図であり、（ｂ）は本発明に係る引込線用腕金を家屋の右側側面から延出させた状態を示した説明図である。
【図３】本発明に係る引込線用腕金の構造を示した説明図である。
【図４】本発明に係る引込線用腕金に設けられる支柱のロッドの断面図である。
【図５】従来の引込線用腕金の配置の状況を説明した説明図である。
【発明を実施するための最良の形態】
【００２４】
以下、この発明の実施例について図面により説明する。
【００２５】
図１乃至図３において、本願発明に係る引込線用腕金１０は、家屋１の壁部４（又は５）に固定される固定部１２及び壁部４（又は５）から延出して引込線３をバイドレス碍子７及び取付金物８を介して保持するための保持孔１５が形成された延出保持部１３とからなるプレート状の固定片１１と、この固定片１１の長手縁部から垂直に一体に延出された補強片１６とによって断面Ｌ字状に形成されている。また、引込線用腕金１０は、固定片１１の延出保持部１３に対応する位置となる補強片１６の荷重保持部１７と、前記固定片１１の固定部１２が固定される家屋１の壁部４（又は５）に対して垂直となる壁部５（又は４）との間に架設される支柱２０を備えている。
【００２６】
この支柱２０は、荷重保持部１７の前記保持孔１５よりも固定部側に回転自在に固定される回転保持部２１と、回転保持部２１から所定の長さに延出する第１のロッド２２と、この第１のロッド２２に入れ子状に装着される第２のロッド２３と、第２のロッド２３の端部に設けられた継手部２５を介して壁部５（又は４）と接触する部分に回転自在に設けられる足部２４とによって構成されている。
【００２７】
また、第１のロッド２２と第２のロッド２３は、入れ子状に形成されているため伸縮自在であり、長さを調整した後にネジ２６によって互いのロッドを固定することで第１のロッド２２と第２のロッド２３とを所望の長さで一体化することが可能となる。さらに、第１のロッド２２が荷重保持部１７において回転保持部２１によって回転自在であることから、第１のロッド２２及び第２のロッド２３の壁部５（又は４）に対する角度を調整可能とし、さらに足部２４が第２のロッド２３に対して継手部２５において回転自在であることから、前記足部２４を壁部５（又は４）に対して密着させることが可能となる。
【００２８】
以上の構成において、引込線用腕金１０が、図１で示すＰ２の家屋側引込線取付点に設けられる場合には、図２（ａ）で示すように、壁部４にネジ１４によって固定部１２を固定し、引込線３をバイドレス碍子７及び取付金物８を介して延出保持部１３の保持孔１５に取り付け保持させる。このため、この位置においては、引込線用腕金１０に支線を張設することが不可能であるため、補強片１６の荷重保持部１７に設けられた支柱２０を壁部５側へ回動させて、第２のロッド２３の第１のロッド２２に対する軸方向の相対位置を調節して、足部２４を壁部５に密着固定させ、引込線３から受ける荷重Ｌ１によって生じた荷重Ｌ２を、この支柱２０を介して壁部５で受ける。このため、引込線用腕金１０に設けられた支柱２０によって、引込線３から引込線用腕金１０にかかる荷重（張力）Ｌ１を受けることが可能となることから、支線を設けることができない箇所においても引込線用腕金１０の引込線の保持力を向上させることが可能となり、引込線用腕金１０の破損等を防止することが可能となる。
【００２９】
また、図２（ｂ）及び図３で示すように、本願発明に係る引込線用腕金１０は、引込線を引き込む方向に応じて反対側の壁部５に取り付けることも可能となる。この場合、支柱２０を、壁部４側に回動させて、第２のロッド２３の第１のロッド２２に対する軸方向の相対位置を調節して、足部２４を壁部４に密着固定させればいいので、支線を設けることができない箇所が上述した場合と異なる場合にも対応することが可能となる。
【００３０】
また、前記支柱２０の第１及び第２のロッド２２，２３の断面形状（Ａ−Ａ断面図）は、この実施例では、図４（ａ）に示すような矩形状にした場合を示したが、図２（ｂ）及び図３で示される配置の場合には、第１のロッド２２と第２のロッド２３を、図４（ｂ）で示すような上方を尖らせた三角形状としてもよい。このような構成においては、屋根からの雪ズリにより落下した雪が支柱２０に停留する（溜まる）ことがなくなり、雪の加重を受けにくい耐久性のある支持構造を提供することが可能となる。
【００３１】
しかしながら、図４（ｂ）で示すような三角形状では、図２（ａ）に示されるような支柱２０の取り付け状態においては、先端が下を向いてしまうため、雪ズリによって落下した雪が停留しないようにする効果は得られない。このため、図４（ｃ）で示すような上下端部を尖らせた菱形形状として、支柱２０が図２（ａ）のように取り付けられる場合でも、支柱２０のロッドの上に雪が停留しないようにしてもよい。
また、図４（ｄ）で示すように、第１及び第２のロッド２２，２３を断面円形とすることで、雪ズリによって落下した雪の停留を防ぐようにしてもよい。
【符号の説明】
【００３２】
１  家屋
２  電柱
３，３Ａ，３Ｂ  引込線
４，５  壁部
６  支線
１０  引込線用腕金
１１  固定片
１２  固定部
１３  延出保持部
１５  保持孔
１６  補強片
１７  荷重保持部
２０  支柱
２１  回転保持部
２２  第１のロッド
２３  第２のロッド
２４  足部
【図１】
2013143870.tif 000003
【図２】
2013143870.tif 000004
【図３】
2013143870.tif 000005
【図４】
2013143870.tif 000006
【図５】
2013143870.tif 000007